(57)【要約】【課題】ＣＤＭＡ方式の携帯電話機を充電できる携帯電話機用充電器の携帯電話機用コネクタの小型化を図る。【解決手段】本発明の携帯電話機用コネクタＡは、内蔵電池を充電するための充電端子２１と、この充電端子２１の近傍であって正面視中央からオフセットした位置に突出するように設けられ、外部アンテナを接続可能なアンテナ端子２２とを有するＣＤＭＡ方式の携帯電話機５のインターフェースコネクタ２、に着脱可能に接続する携帯電話機用コネクタであって、充電端子２１に電気的に接続して充電電力を送出する接続端子１１と、アンテナ端子２２に嵌合してインターフェースコネクタ２に固定する嵌合凹部１２とを備えているものである。【選択図】図１
2009188706.tif 000002
【特許請求の範囲】
【請求項１】
内蔵電池を充電するための充電端子と、この充電端子の近傍であって正面視中央からオフセットした位置に突出するように設けられ、外部アンテナを接続可能なアンテナ端子とを有するＣＤＭＡ方式の携帯電話機のインターフェースコネクタ、に着脱可能に接続する携帯電話機用コネクタであって、
前記充電端子に電気的に接続して充電電力を送出する接続端子と、前記アンテナ端子に嵌合して前記インターフェースコネクタに固定する嵌合凹部とを備えていることを特徴とする携帯電話機用コネクタ。
【請求項２】
内蔵電池を充電するための充電端子と、この充電端子の近傍であって正面視中央からオフセットした位置に突出するように設けられ、外部アンテナを接続可能なアンテナ端子とを有するインターフェースコネクタ、を備えたＣＤＭＡ方式の携帯電話機の内蔵電池に充電電力を供給して該内蔵電池を充電する携帯電話機用充電器であって、
請求項１記載の携帯電話機用コネクタを備えていることを特徴とする携帯電話機用充電器。
【請求項３】
内蔵電池を充電するための充電端子と、この充電端子の近傍であって正面視中央からオフセットした位置に突出するように設けられ、外部アンテナを接続可能なアンテナ端子とを有するＣＤＭＡ方式の携帯電話機のインターフェースコネクタ、に着脱可能に接続する携帯電話機用コネクタを備えた携帯電話機用充電器の脱落防止方法であって、
前記携帯電話機用コネクタに設けられた充電電力を送出する接続端子を、前記充電端子に電気的に接続すると共に、前記携帯電話機用コネクタに設けられた嵌合凹部を前記アンテナ端子に嵌合させて前記インターフェースコネクタに固定することを特徴とする携帯電話機用充電器の脱落防止方法。
【発明の詳細な説明】
【技術分野】
【０００１】
本発明は、携帯電話機用コネクタ、携帯電話機用充電器、および、携帯電話機用充電器の脱落防止方法に係り、特に、小型化を図ることができる携帯電話機用コネクタ、この携帯電話機用コネクタを用いた携帯電話機用充電器、および、携帯電話機用充電器の脱落防止方法に関する。
【背景技術】
【０００２】
従来、例えば、ＣＤＭＡ型の携帯電話機にあっては、標準規格の関係上、他の型の携帯電話機に比べてインターフェースコネクタの幅寸法が大きく、このインターフェースコネクタに見合った大きな形状の携帯電話機用コネクタを用いてきたため、携帯電話機用コネクタの大きさがネックとなって携帯電話機用充電器の小型化を図る点で障害となっていた。
【０００３】
具体的には、図１１（ａ）、（ｂ）に示したように、このＣＤＭＡ型の携帯電話機用コネクタ９は、確実に携帯電話機のインターフェースコネクタ２に挿入して固定できるように、該インターフェースコネクタ２の差し込み凹部２ａの内側２ｂ、２ｂに沿った大きな幅寸法の形状にし、さらに、携帯電話機用コネクタ９の幅方向の両端上部に、差し込み凹部２ａ内壁側に向かって付勢する弾機９１、９１を設け、この弾機９１を差し込み凹部２ａ内壁に形成された係合溝２ｃに係合させて携帯電話機用コネクタ９が脱落しないように固定をしていた。
【０００４】
また、携帯電話機用コネクタ９の上下逆差しによる誤挿入を防止するため、インターフェースコネクタ２の差し込み凹部２ａの幅方向の内側の一部に突起２ｄ、２ｄを設け、上下非対称の開口形状にすると共に、携帯電話機用コネクタ９には、前述の突起２ｄに対応する部位に切り欠き９２を設け、差し込み方向を規制していた（例えば、非特許文献１の第３頁参照）。
【非特許文献１】ＣＤＭＡ方式携帯電話用インターフェイスコネクタｈｔｔｐ：／／ｗｗｗ．ｈｉｒｏｓｅ．ｃｏ．ｊｐ／ｃａｔａｌｏｇｊ＿ｈｐ／ｊ２０６２４９５０．ｐｄｆ
【発明の開示】
【発明が解決しようとする課題】
【０００５】
しかしながら、充電技術の進歩により電池を内包する充電器本体の大きさについては小型化が進んでいるものの、上述したように、携帯電話機用コネクタの固定および誤挿入の防止は、インターフェースコネクタの係合溝および突起を利用しているため、携帯電話機用コネクタの幅寸法は、依然としてインターフェースコネクタの幅寸法に合わせた大きい寸法のままであり、充電器全体として小型化がし難いという問題点があった。
【０００６】
本発明は、上述した問題点を解決するためになされたものである。
【課題を解決するための手段】
【０００７】
請求項１に係る発明は、内蔵電池を充電するための充電端子と、この充電端子の近傍であって正面視中央からオフセットした位置に突出するように設けられ、外部アンテナを接続可能なアンテナ端子とを有するＣＤＭＡ方式の携帯電話機のインターフェースコネクタ、に着脱可能に接続する携帯電話機用コネクタであって、前記充電端子に電気的に接続して充電電力を送出する接続端子と、前記アンテナ端子に嵌合して前記インターフェースコネクタに固定する嵌合凹部とを備えている携帯電話機用コネクタである。
【０００８】
請求項２に係る発明は、内蔵電池を充電するための充電端子と、この充電端子の近傍であって正面視中央からオフセットした位置に突出するように設けられ、外部アンテナを接続可能なアンテナ端子とを有するインターフェースコネクタ、を備えたＣＤＭＡ方式の携帯電話機の内蔵電池に充電電力を供給して該内蔵電池を充電する携帯電話機用充電器であって、請求項１記載の携帯電話機用コネクタを備えている携帯電話機用充電器である。
【０００９】
請求項３に係る発明は、内蔵電池を充電するための充電端子と、この充電端子の近傍であって正面視中央からオフセットした位置に突出するように設けられ、外部アンテナを接続可能なアンテナ端子とを有するＣＤＭＡ方式の携帯電話機のインターフェースコネクタ、に着脱可能に接続する携帯電話機用コネクタを備えた携帯電話機用充電器の脱落防止方法であって、前記携帯電話機用コネクタに設けられた充電電力を送出する接続端子を、前記充電端子に電気的に接続すると共に、前記携帯電話機用コネクタに設けられた嵌合凹部を前記アンテナ端子に嵌合させて前記インターフェースコネクタに固定する携帯電話機用充電器の脱落防止方法である。
【発明の効果】
【００１０】
請求項１記載の携帯電話機用コネクタによれば、充電端子に電気的に接続して充電電力を送出する接続端子と、アンテナ端子に嵌合してインターフェースコネクタに固定する嵌合凹部とを備えているため、差し込み凹部の係合溝に係合して固定する弾機を設けることなく簡易に携帯電話機用コネクタを携帯電話機のインターフェースコネクタに固定することができ、加えて、正面視中央からオフセットした位置に設けられているアンテナ端子を利用し、このアンテナ端子に嵌合凹部を嵌合するため、突起を利用することなく上下逆差しして誤挿入するのを防止することができ、これら係合溝や突起を考慮せずに携帯電話機用コネクタの幅寸法を設定して小型化を図ることができる。
【００１１】
請求項２記載の携帯電話機用充電器によれば、ＣＤＭＡ方式の携帯電話機の内蔵電池に充電電力を供給して該内蔵電池を充電する携帯電話機用充電器であって、請求項１記載の携帯電話機用コネクタを備えているため、差し込み凹部の係合溝に係合して固定する弾機を設けることなく簡易に携帯電話機用コネクタを携帯電話機のインターフェースコネクタに固定することができ、加えて、正面視中央からオフセットした位置に設けられているアンテナ端子を利用し、このアンテナ端子に嵌合凹部を嵌合するため、突起を利用することなく上下逆差しして誤挿入するのを防止することができ、これら係合溝や突起を考慮せずに携帯電話機用コネクタの幅寸法を設定して小型化を図ることができる。
【００１２】
請求項３記載の携帯電話機用充電器の脱落防止方法によれば、携帯電話機用コネクタに設けられた充電電力を送出する接続端子を、充電端子に電気的に接続すると共に、前記携帯電話機用コネクタに設けられた嵌合凹部をアンテナ端子に嵌合させてインターフェースコネクタに固定するため、差し込み凹部の係合溝に係合して固定する弾機を設けることなく簡易な方法で携帯電話機用充電器を携帯電話機のインターフェースコネクタに固定することができ、携帯電話機用充電器の脱落を防止することができる。
【発明を実施するための最良の形態】
【００１３】
本発明の一実施例を、図１〜１０に基づき説明する。図１において、Ａは本発明に係る携帯電話機用コネクタであり、携帯電話機用コネクタＡは、図２に示したような、携帯電話機５の内蔵電池（図示せず）を充電するための充電端子２１と、この充電端子２１の近傍であって正面視中央からオフセットした位置に突出するように設けられ、外部アンテナを接続可能なアンテナ端子２２とを有するＣＤＭＡ方式の携帯電話機５のインターフェースコネクタ２、に着脱可能に接続するもので、図１（ａ）、（ｂ）に示したように、概略的に、接続端子１１と、嵌合凹部１２とを備えている。
【００１４】
ここで、ＣＤＭＡ（Ｃｏｄｅ  Ｄｉｖｉｓｉｏｎ  Ｍｕｌｔｉｐｌｅ  Ａｃｃｅｓｓ）方式とは、無線通信に用いられる通信方式のひとつで、複数の送信者が同一の周波数を共有し、それぞれの送信者の音声信号に異なった符号を乗算して送信し、受信者は送信者に対応した符号を乗算することによって、受信者の音声信号のみを得る通信方式をいい、ＣＤＭＡ方式の携帯電話機とは、この通信方式を利用して通信を行う携帯電話機であり、インターフェースコネクタ２の形状（図２参照）は標準規格（CDMA方式セルラーホンNC−R1−１８規格）により定められている。
【００１５】
前記の接続端子１１は、充電端子２１に電気的に接続して充電電力を送出するものであり、例えば、図３（ａ）に示したように、先端部が断面コ字状に形成され、このコ字状の凹部には、インターフェースコネクタ２の充電端子２１に接続するコンタクト１１ａ、１１ａ、・・が配設されている。
【００１６】
嵌合凹部１２は、アンテナ端子２２に嵌合してインターフェースコネクタ２に固定するもので（図２参照）、例えば、中空円筒状のアンテナ端子２２の外周全体に亘って該アンテナ端子２２に当接し、圧入できるように形成されており、図１（ｂ）、図３（ｂ）に示したように、アンテナ端子２２の外周に対応する断面円形中空の内周面を有する壁体１２ａにより形成されている。また、この嵌合凹部１２を設けることにより、携帯電話機用コネクタＡの差し込みに際し、嵌合凹部１２がアンテナ端子２２に案内されて容易に差し込むことができる。
【００１７】
したがって、本発明の携帯電話機用コネクタＡにあっては、該携帯電話機用コネクタＡの嵌合凹部１２をアンテナ端子２２に嵌合させて固定できるため、図１（ｂ）の仮想線で示したインターフェースコネクタ２の係合溝２ｃや突起２ｄを考慮して内側２ｂ、２ｂに沿わせて差し込む必要はなく、接続端子１１および嵌合凹部１２の領域を確保することができる限り、インターフェースコネクタ２の開口の幅寸法Ｌ１に対して携帯電話機用コネクタＡの幅寸法Ｌ２を小さくして小型化することが可能となる。この幅寸法Ｌ２は、突起２ｄ、２ｄ間の距離よりも小さくするのが好ましい。
【００１８】
次に、本発明の携帯電話機用充電器について、図４および図５（ａ）、（ｂ）を参照し、前述の実施例と同一部分には同一符号を付して説明する。図４および図５（ａ）、（ｂ）において、Ｂは本発明に係る携帯電話機用充電器であり、携帯電話機用充電器Ｂは、ＣＤＭＡ方式の携帯電話機５の内蔵電池に充電電力を供給して該内蔵電池を充電するもので、前述の携帯電話機用コネクタＡを備えている。
【００１９】
この携帯電話機用充電器Ｂは、電池３３と、この電池３３を収納する電池ケース３１と、電池３３の電極３４、３４に接触して集電する電極端子３４、３４と、取付部材３２の内部に設けられ、電極端子３４に導通すると共に充電電力を制御する充電回路（図示せず）と、取付部材３２に取り付けられ、充電回路に電気的に接続された前述の携帯電話機用コネクタＡとにより概略的に構成されている。
【００２０】
ここで、電極端子３４と充電回路との電気的な接続は電気配線によるものでも構わないが、図４、図５（ａ）、（ｂ）に図示した電池ケース３１を、例えば、アルミニウムなどの導電性の材料により形成し、この電池ケース３１に電極端子３４と充電回路の導通端子３５とを接触させる構成とするのが好ましい。
【００２１】
前述の電池３３の種類および用いる電池３３の本数は、携帯電話機５を充電することができれば特に限定されるものではないが、携帯電話機用コネクタＡの大きさを考慮すると単三乾電池と同等か、それよりも小さい形状の電池を用いるのが好ましい。例えば、単三乾電池を用いた場合にあっては、図５（ａ）に示したように、携帯電話機用コネクタＡの幅寸法Ｌ２を単三乾電池３３を内蔵した電池ケース３１の外径Ｌ３よりも小さくすることが可能であり、単三乾電池３３の長手方向の中心軸上に取付部材３２および携帯電話機用コネクタＡを配設することで、コンパクトな形状となって持ち運び等が便利になるからである。
【００２２】
なお、図６〜図１０に示したように、前述の携帯電話機用充電器Ｂには、携帯電話機用コネクタＡを覆うように着脱自在なキャップ３を設けてもよく、このキャップ３を携帯電話機用充電器Ｂの不使用時に装着しておくことにより、携帯電話機用コネクタＡの破損やホコリ等の付着を防ぐことができる。なお、キャップ３は、内部の携帯電話機用コネクタＡの形状が見えるように、透明とするのが好ましい。また、充電回路に発光ダイオード（図示せず）を設けて外部からレンズ４を介して視認できるようにし（図６（ａ）、図７（ａ）参照）、充電中はこの発光ダイオードを点灯させ、充電の完了により消灯させるようにしてもよい。
【００２３】
以上のように構成される携帯電話機用充電器Ｂの使用時にあっては、図１０（ａ）に示したように、この携帯電話機用充電器Ｂの携帯電話機用コネクタＡをＣＤＭＡ方式の携帯電話機５のインターフェースコネクタ２に接続することにより行うもので、インターフェースコネクタ２への携帯電話機用コネクタＡの差し込みに際し、図３（ｂ）に示したように、嵌合凹部１２をアンテナ端子２２に差し込んで押し込めば、嵌合凹部１２がアンテナ端子２２に案内されて嵌合し、所定の位置に固定することができ、携帯電話機用充電器Ｂが、携帯電話機５から脱落することなく容易かつ確実に接続することができる。また、充電が完了したか否かを発光ダイオードの点灯状態により確認することができ、充電が完了あるいは中途で終了した後は、携帯電話機用充電器Ｂを携帯電話機５から引き抜き、キャップ３を装着して完了する。
【図面の簡単な説明】
【００２４】
【図１】本発明の携帯電話機用コネクタの一実施例を示した概略図であり、図１（ａ）は携帯電話機用コネクタの斜視図を、図１（ｂ）は図１（ａ）のＺ１―Ｚ１の先端面を表した正面図をそれぞれ示している。
【図２】携帯電話機のインターフェースコネクタを説明するための概略図であり、図２（ａ）はインターフェースコネクタの正面図を、図２（ｂ）は図２（ａ）のインターフェースコネクタの一部を破断して示す概略的斜視図である。
【図３】図１（ｂ）の概略的切断断面図であり、図３（ａ）はＸ−Ｘ線で切断した図を、図３（ｂ）はＹ−Ｙ線で切断した図をそれぞれ示している。
【図４】本発明の携帯電話機用充電器の一実施例を示した概略的斜視図である。
【図５】図４の概略図であり、図５（ａ）は分解して示した図を、図５（ｂ）は側面図をそれぞれ示している。
【図６】図４の携帯電話機用充電器の詳細な図であり、図６（ａ）は正面図を、図６（ｂ）は背面図を、図６（ｃ）は右（左）側面図をそれぞれ示している。
【図７】図４の携帯電話機用充電器の詳細な図であり、図７（ａ）は平面図を、図７（ｂ）は底面図をそれぞれ示している。
【図８】図４の携帯電話機用充電器の詳細な図であり、図８（ａ）は斜視図を、図８（ｂ）は内部機構を省略して示す図６（ａ）のＰ−Ｐ線で切断した断面図をそれぞれ示している。
【図９】図４の携帯電話機用充電器の詳細な図であり、キャップを外した状態を示す斜視図を示している。
【図１０】図４の携帯電話機用充電器の詳細な図であり、図１０（ａ）は透明部分（斜線を施した部分）を示す概略的平面図を、図１０（ｂ）は使用状態を示す概略的平面図をそれぞれ示している。
【図１１】従来の携帯電話機用コネクタの例を示した概略図であり、図１１（ａ）は斜視図を、図１１（ｂ）は図１１（ａ）のＺ２―Ｚ２の先端面を表した正面図をそれぞれ示している。
【符号の説明】
【００２５】
Ａ        携帯電話機用コネクタ
Ｂ        携帯電話機用充電器
１１      接続端子
１２      嵌合凹部
２        インターフェースコネクタ
２ａ      差し込み凹部
２ｂ      内側
２ｃ      係合溝
２ｄ      突起
２１      充電端子
２２      アンテナ端子
３        キャップ
４        レンズ
５        携帯電話機
【図１】
2009188706.tif 000003
【図２】
2009188706.tif 000004
【図３】
2009188706.tif 000005
【図４】
2009188706.tif 000006
【図５】
2009188706.tif 000007
【図６】
2009188706.tif 000008
【図７】
2009188706.tif 000009
【図８】
2009188706.tif 000010
【図９】
2009188706.tif 000011
【図１０】
2009188706.tif 000012
【図１１】
2009188706.tif 000013